(57)【要約】      （修正有）【課題】テープ収蔵箱とテープ案内台に設けられた蓋との連結部が受ける荷重を最小化、製品寿命を向上させ、連結部に損傷が生じても、全体を入れ替える必要がない園芸用結束機を提供する。【解決手段】テープ収蔵箱の外側面に、ピン挿入孔が形成された第１の連結管が長手方向に沿って複数個形成され、収蔵箱蓋の外側面に、ピン挿入孔が形成された第２の連結管が長手方向に沿って複数個形成され、第１、第２の連結管が交差して配置された状態で第１、第２の連結管を連通するピン挿入孔に固定用ピンが挿入されており、テープ案内台の外側面に、ピン挿入孔が形成された第３の連結管が長手方向に沿って複数個形成され、案内台蓋の外側面に、ピン挿入孔が形成された第４の連結管が長手方向に沿って複数個形成され、第３、第４の連結管が交差して配置された状態で、第３、第４の連結管を連通するピン挿入孔に固定用ピンが挿入されている。【選択図】図２
2018038386.tif 000002
【特許請求の範囲】
【請求項１】
開閉可能な収蔵箱蓋が備えられたテープ収蔵箱と開閉可能な案内台蓋が備えられたテープ案内台を本体枠の下部に設置し、前記本体枠の上部には結束針供給台を設けて、前記テープ収蔵箱の内部に巻き形に巻き取られて収蔵された結束テープを牽引針で引き出し、前記本体枠と昇降作動体の間に形成された作業空間で結束しようとする苗木と支柱を結束テープで覆いかぶせた後、前記昇降作動体を結束針供給台に密着させ、前記結束テープを結束針で固定した後、切断刀を用いて切断し、苗木と支柱を前記結束テープで結束する園芸用結束機において、
前記テープ収蔵箱の外側面には、円筒形状で内側にピン挿入孔が形成された第１の連結管が長手方向に沿って一定間隔で複数個形成されており、前記収蔵箱蓋の外側面には、円筒形状で内側にピン挿入孔が形成された第２の連結管が長手方向に沿って一定間隔で複数個形成されており、前記第１、第２の連結管が交差して配置された状態で前記第１、第２の連結管を連通するピン挿入孔に一定長さの固定用ピンが挿入されており、前記テープ収蔵箱から前記収蔵箱蓋を一定角度内で自由に回転開閉でき、
前記テープ案内台の外側面には、円筒形状で内側にピン挿入孔が形成された第３の連結管が長手方向に沿って一定間隔で複数個形成されており、前記案内台蓋の外側面には、円筒形状で内側にピン挿入孔が形成された第４の連結管が長手方向に沿って一定間隔で複数個形成されており、前記第３、第４の連結管が交差して配置された状態で、前記第３、第４の連結管を連通するピン挿入孔に一定長さの固定用ピンが挿入されており、前記テープ案内台から前記案内台蓋を一定角度内で自由に回転開閉できることを特徴とする園芸用結束機。
【請求項２】
開閉可能な収蔵箱蓋が備えられたテープ収蔵箱と開閉可能な案内台蓋が備えられたテープ案内台を本体枠の下部に設置して、前記本体枠の上部には結束針供給台を設けて、前記テープ収蔵箱の内部に巻き形で巻き取られて収蔵された結束テープを牽引針で引き出し、前記本体枠と昇降作動体の間に形成された作業空間で結束しようとする苗木と支柱を前記結束テープで覆いかぶせた後、前記昇降作動体を前記結束針供給台に密着させ、前記結束テープを結束針で固定した後、切断刀を用いて切断し、苗木と支柱を前記結束テープで結束する園芸用結束機において、
前記テープ収蔵箱の外側面の一側には、円筒形状で第１の連結棒が所定の長さで形成されており、
前記収蔵箱蓋の外側面の一側には、前記第１の連結棒に相当する箇所に前記第１の連結棒の外径に対応する一部切断されたリング形状の断面を有する第５の連結管が前記第１の連結棒の長手方向に沿って一定間隔で複数個形成されており、
前記第１の連結棒が前記第５の連結管に嵌め込み結合されることで前記テープ収蔵箱から前記収蔵箱蓋を一定角度内で自由に回転開閉するようになっており、
前記テープ案内台の外側面の一側には、円筒形状の第２の連結棒が所定の長さで形成されており、
前記案内台蓋の外側面の一側には、前記第２の連結棒に相当する箇所に前記第２の連結棒の外径に対応する一部切断されたリング形状の断面を有する第６の連結管が前記第２の連結棒の長手方向に沿って一定間隔で複数個形成されており、前記第２の連結棒に前記第６の連結管を嵌め込んで結合されており、前記テープ案内台から前記案内台蓋を一定角度内で自由に回転開閉できることを特徴とする園芸用結束機。
【請求項３】
開閉可能な収蔵箱蓋が備えられたテープ収蔵箱と開閉可能な案内台蓋が備えられたテープ案内台を本体枠の下部に設置して、前記本体枠の上部には結束針供給台を設けて、前記テープ収蔵箱の内部に巻き形で巻き取られて収蔵された結束テープを牽引針で引き出し、前記本体枠と昇降作動体の間に形成された作業空間で結束しようとする苗木と支柱を前記結束テープで覆いかぶせた後、前記昇降作動体を前記結束針供給台に密着させて、前記結束テープを結束針で固定した後、切断刀を用いて切断して、苗木と支柱を前記結束テープで結束する園芸用結束機において、
前記テープ案内台の両側面には、スライディングレール溝が前記テープ案内台の長手方向に沿って所定の長さで形成されており、前記案内台蓋の両側面には、前記スライディングレール溝に対応するスライディング突起が前記案内台蓋の長手方向に沿って所定の長さで形成されており、前記案内台蓋のスライディング突起が前記スライディングレール溝に挿入されており、前記テープ案内台が開閉されることを特徴とする園芸用結束機。
【請求項４】
前記テープ案内台の外側面には、前記テープ案内台の長手方向に沿って受納溝が形成され、前記受納溝の内にステープル手入れ台が装着されていることを特徴とする請求項１乃至３のいずれか１項に記載の園芸用結束機。
【請求項５】
前記案内台蓋の内側には、長手方向に沿ってＸ字形状の補強用リブが複数個形成されていることを特徴とする請求項１乃至３のいずれか１項に記載の園芸用結束機。
【発明の詳細な説明】
【技術分野】
【０００１】
本発明は、園芸用結束機（Ｂｉｎｄｉｎｇ  Ｍａｃｈｉｎｅ  Ｆｏｒ  Ｇａｒｄｅｎｉｎｇ）に係り、より詳細には、テープ収蔵箱とテープ案内台が設けられた蓋との連結部を連結管、又は連結棒が締結される方式で備えることで、連結部が受ける荷重を最小化とし、製品の寿命を向上させることができて、連結部に損傷が発生したとしても、全体を入れ換える必要なく、連結部の部品または蓋など、必要な部分だけを入れ替えることが可能となり、テープ収蔵箱と蓋の開閉において複数個の締結部を備えることによって、テープ収蔵箱に蓋を閉じた際、強固に締結が維持されて使用者がいかなる環境で使っても蓋が突然緩んでしまうことがないようにする園芸用結束機に関するものである。
【背景技術】
【０００２】
一般的に、キュウリ・ブドウ・メロン・トマトなどの園芸作物や、つる性の農作物は、幼い苗木から順次に成長しながら、枝と実の重さ、又は風雨により、幹や枝が折られて、さらに幹が地面に座り込むことを防止するように、適当な間隔で支柱を立てて、これに誘引ヒモを設置した後、支柱及び誘引ヒモに作物の幹や枝を縛って固定させている。
【０００３】
すなわち、幹と枝が細長く伸びて成長する園芸作物やつる性の農作物をそのまま放置すると、枝と実の重さ、又は風雨により、幹や枝が折られて、地面に座り込んでしまい正しく成長できないので、幹と枝を支柱及び誘引ヒモに縛って作物がまっすぐに成長するように固定する必要がある。このため従来より、園芸用結束機を用いてテープ（ｔａｐｅ）で作物の幹や枝を支柱及び誘引ヒモに結束して作物が正しく成長するように固定している（例えば、特許文献１、２参照）。
【０００４】
このような園芸用結束機は、テープ収蔵箱を一側に形成したテープ案内台を本体枠の下部に設置して、本体枠の上部には結束針供給台を設けて、テープ収蔵箱の内部に巻き形に巻き取られて収蔵された結束テープを牽引針で引き出す。これに続き、本体枠と昇降作動体の間に形成された作業空間で結束しようとする苗木と支柱を結束テープで覆いかぶせた後、昇降作動体を結束針供給台に密着させ、結束テープを結束針で固定した後、切断刀を用いて切断し、苗木と支柱を結束テープで結束する。
【０００５】
図１に示したように、従来の園芸用結束機に備えられたテープ収蔵箱（４）は、開閉が可能な収蔵箱蓋（４ａ）を有しており、テープ収蔵箱（４）の内部に結束テープを収容させ、また、園芸用の結束機に必要となる様々な消耗性部品を収容した状態で、収蔵箱蓋（４ａ）を閉じて安全に保管できるようになる。
【０００６】
ところが、このようなテープ収蔵箱（４）と収蔵箱蓋（４ａ）は、一般的に半分型で開閉できるように連結部（１０′）が薄い膜からなるヒンジ方式に備えられるが、こうした方式の連結部（１０′）は、収蔵箱蓋（４ａ）を開閉する時に衝撃が伝達され、使用時間が長くないにもかかわらず、敗れるか損傷が発生する問題点があった。このために、テープ収蔵箱（４）や収蔵箱蓋（４ａ）が互いに離れると、内部に結束テープ及び各種部品を収容することが不可能となるので、結局、テープ案内台（２）とテープ収蔵箱（４）を含む本体枠（１）を全部入替えせざるを得ず、入替え費用が必要以上に高くなり、非効率的であった。
【先行技術文献】
【特許文献】
【０００７】
【特許文献１】韓国登録特許第１０−０３４７６３５号公報
【特許文献２】韓国登録特許第１０−０７７９５００号公報
【発明の概要】
【発明が解決しようとする課題】
【０００８】
本発明は、上述した問題点を解決するために案出されたものであって、本発明の目的は、テープ収蔵箱とテープ案内台に設けられた蓋との連結部を連結管又は連結棒により締結する方式とすることで、連結部が受ける荷重を最小化し、製品の寿命を向上させることができ、連結部に損傷が発生したとしても、全体を入替える必要なく、連結部の部品または蓋など、必要な部分だけを入替えることが可能となる園芸用結束機を提供することにある。
【０００９】
本発明の他の目的は、テープ収蔵箱と蓋の開閉において、複数個の締結部を備えることで、テープ収蔵箱に蓋を閉じた時、固く締結が維持され、使用者がいかなる環境で使っても蓋が突然緩んでしまうことがないようにする園芸用結束機を提供することにある。
【課題を解決するための手段】
【００１０】
上記目的を達成するための本発明による園芸用結束機は、開閉可能な収蔵箱蓋が備えられたテープ収蔵箱と開閉可能な案内台蓋が備えられたテープ案内台を本体枠に設置し、前記本体枠の上部には、結束針供給台を設けて、前記テープ収蔵箱の内部に巻き形に巻き取られて収蔵された結束テープを牽引針で引き出し、前記本体枠と昇降作動体の間に形成された作業空間で結束しようとする苗木と支柱を結束テープで覆いかぶせた後、昇降作動体を結束針供給台に密着させ、結束テープを結束針で固定した後、切断刀を用いて切断し、苗木と支柱を結束テープで結束する、通常の園芸用結束機において、前記テープ収蔵箱の外則面には、円筒形状に内側にピン挿入孔が形成される第１の連結管が長手方向に沿って一定間隔で複数個形成され、前記収蔵箱蓋の外則面には、円筒形状に内側にピン挿入孔が形成される第２の連結管が長手方向に沿って一定間隔で複数個形成され、前記第１、２の連結管が交差して配置された状態で、前記第１、２の連結管を連通するピン挿入孔に一定の長さの固定用ピンを挿入して、前記テープ収蔵箱から前記収蔵箱蓋を一定角度内で自由に回転開閉することができて、前記テープ案内台の外則面には、円筒形状に内側にピン挿入孔が形成される第３の連結管が長手方向に沿って一定間隔で複数個形成され、前記案内台蓋の外則面には、円筒形状に内側にピン挿入孔が形成される第４の連結管が長手方向に沿って一定間隔で複数個形成され、前記第３、４の連結管が交差して配置された状態で前記第３、４の連結管を連通するピン挿入孔に一定長さの固定用ピンを挿入して、前記テープ収蔵箱から前記収蔵箱蓋を一定角度内で自由に回転開閉することが可能となる。
【００１１】
または、開閉可能な収蔵箱蓋が備えられたテープ収蔵箱蓋と開閉可能な案内台蓋が備えられたテープ案内台を本体枠の下部に設置し、前記本体枠の上部には結束針供給台を設けて、前記テープ収蔵箱の内部に巻き形に巻き取られて収蔵された結束テープを牽引針で引き出し、前記本体枠と昇降作動体の間に形成された作業空間で結束しようとする苗木と支柱を前記結束テープで結束する通常の園芸用結束機において、前記テープ収蔵箱の外則面の一側には円通形状に第１の連結棒が所定の長さで形成され、前記収蔵箱蓋の外側面の一側には前記第１の連結棒と相当する所に前記第１の連結棒の外径に対応する一部切断されたリン状の断面で第５の連結管が前記第１の連結棒の長手方向に沿って一定間隔で複数個形成され、前記第１の連結棒が前記第５の連結管に嵌め込み結合されることで、前記テープ収蔵箱から前記収蔵箱蓋を一定角度の内で自由に回転開閉することができるし、前記テープ案内台の外側面の一側には、前記第２の連結棒が所定の長さで形成され、前記案内台蓋の外側面の一側には前記第２の連結棒と相当する所に前記第２の連結棒の外径に対応する一部切断されたリン状の断面で第５の連結管が前記第２の連結棒の長手方向に沿って一定間隔で複数個形成され、前記第２の連結棒が前記第６の連結管に嵌め込み結合されることで、前記テープ案内台から前記案内台蓋を一定角度の内で自由に回転開閉することが可能となる。
【００１２】
又は、開閉可能な収蔵箱蓋が備えられたテープ収蔵箱と開閉可能な案内台蓋が備えられたテープ案内台を本体枠の下部に設置し、前記本体枠の上部には結束針供給台を設けて、前記テープ収蔵箱の内部に巻き形に巻き取られて収蔵された結束テープを牽引針で引き出し、前記本体枠と昇降作動体の間に形成された作業空間で結束しようとする苗木と支柱を前記結束テープで覆いかぶせた後、前記昇降作動体を前記結束針供給台に密着させ、前記結束テープを結束針で固定した後、切断刀を用いて切断し、苗木と支柱を前記結束テープで結束する通常の園芸用結束機において、前記テープ案内台の両側面には、スライディングレール溝が前記テープ案内台の長手方向に沿って所定の長さに形成され、前記案内台蓋の両側面には、前記スライディングレール溝に対応されるスライディング突起が前記案内台蓋の長手方向に沿って所定の長さに形成され、前記案内台蓋のスライディング突起が前記スライディングレール溝に挿入されることによって、前記テープ案内台が開閉される。
【００１３】
ここで、前記テープ案内台の外側面には、前記テープ案内台の長手方向に沿って受納溝が形成されて、前記受納溝の内にステープル手入れ台を装着させる。
【００１４】
さらに、前記案内台蓋の内側には、長手方向に沿ってＸ字形状の補強用リブが複数個形成される。
【発明の効果】
【００１５】
本発明によれば、テープ収蔵箱とテープ案内台に形成された蓋との連結部が受ける荷重を最小化とし、製品の故障発生率を大幅に減少させることができて、連結部に損傷が発生したとても、一体として形成されていないため、全部交替する必要なく、連結部の部品又は蓋など、必要な部分だけを交替し得ることから、経済的な負担が減る効果を有する。
【００１６】
また、複数個の締結部を備えることによって、テープ収蔵箱の蓋を閉じた場合、固くその締結が維持されて、使用者がいかなる環境で使用しても蓋が突然緩むことが発生しないため、結束作業の信頼性まで高めて、作業能率を上げるようになる効果が得られる。
【００１７】
また、ステープル手入れ台を受納し得る受納溝を形成させ、現場でステープルが挟んだ場合、ステープル手入れ台をすぐ取り出し、速かに解決できて、作業能率を向上させる効果を有する。
【００１８】
また、案内台に補強用リブを形成させ、案内台が曲がらないように構造補強を行い、連結部が一直線上に維持されて長期間に使用し得る効果を有する。
【図面の簡単な説明】
【００１９】
【図１】従来の園芸用結束機に備えられたテープ収蔵箱と収蔵箱蓋の側断面図である。
【図２】本発明による園芸用結束機（第１実施形態）の構成図である。
【図３】本発明による園芸用結束機において、テープ収蔵箱とテープ案内台の部分を示した斜視図である。
【図４】本発明による園芸用結束機において、収蔵箱蓋及び案内台蓋が開いた状態の斜視図である。
【図５】本発明による園芸用結束機において、収蔵箱蓋及び案内台蓋が閉められた状態の側面を示した図面である。
【図６】図５のＡ−Ａ′線の断面図である。
【図７】図５のＢ−Ｂ′線の断面図である。
【図８】本発明による園芸用結束機において、受納溝の部分を詳しく示した図である。
【図９】本発明による園芸用結束機（第２実施形態）において、収蔵箱蓋及び案内台蓋が開いた状態を図示した図面である。
【図１０】図９のＡ−Ａ′線の断面図である。
【図１１】図９のＢ−Ｂ′線の断面図である。
【図１２】本発明による園芸用結束機（第３実施形態）において、案内台蓋が結合される断面構造を示した図面である。
【発明を実施するための形態】
【００２０】
以下、添付した図面を参照して本発明による園芸用結束機の実施形態について詳細に説明する。図面において、同一の構成要素はできるだけ同じ符号で示している。一方、これに先だって、本明細書及び特許請求範囲に記載した用語や単語は辞書的な意味で限定して解釈すべきではなく、発明者は自らの発明を最善の方法として説明するために、用語の概念を適切に定義することができるという原則にしたがって、本発明の技術的思想に適合する意味と概念から解釈しなければならない。なお、本明細書に記載の実施形態と図面に示された構成とは、本発明において最も望ましい一実施形態に過ぎず、本発明の技術的思想の全てを代弁するのではないことから、本出願時点において、これらを振替えることができる多様な均等物や変形形態があり得ることを理解する必要がある。
【００２１】
図２は本発明の第１実施形態による園芸用結束機の構成図であり、図３は本第１実施形態による園芸用結束機において、テープ収蔵箱とテープ案内台の部分を示した斜視図であり、図４は本第１実施形態による園芸用結束機において、収蔵箱蓋及び案内台蓋が開いた状態の斜視図であって、図５は本第１実施形態による園芸用結束機において、収蔵箱蓋及び案内台蓋が閉められた状態の側面を示した図であって、図６は図５のＡ−Ａ′線の断面図であって、図７は図５のＢ−Ｂ′線の断面図である。
【００２２】
図２乃至図７を参照すれば、本第１実施形態による園芸用結束機は、開閉可能な収蔵箱蓋４ａが備えられたテープ収蔵箱４と開閉可能な案内台蓋２ａが備えられたテープ案内台２を本体枠１の下部に設置し、本体枠１の上部には結束針供給台３を設けて、テープ収蔵箱４の内部に巻き形に巻き取られて収蔵された結束テープ５を牽引針で引き出し、本体枠１と昇降作動体６の間に形成された作業空間で結束しようとする苗木と支柱を結束テープ５で覆いかぶせた後、昇降作動体６を結束針供給台３に密着させ、結束テープ５を結束針で固定した後、切断刀を用いて切断し、苗木と支柱を結束テープ５で結束する通常の園芸用結束機において、円筒形状の第１の連結管１１、第２の連結管１２、第３の連結管２１、第４の連結管２２及び各連結管に挿入される固定用ピン３０を含んでなり得る。
【００２３】
まず、テープ収蔵箱４の外側面の一側には、円筒形状で内側に原形のピン挿入孔１１ａが形成された第１の連結管１１が長手方向に沿って一定間隔で複数個連続形成されている。
【００２４】
また、収蔵箱蓋４ａの外側面の一側には、第１の連結管１１のように内側に原形のピン挿入孔１２ａが形成された第２の連結管１２が長手方向に沿って一定間隔で複数個連続形成されており、テープ収蔵箱４に収蔵箱蓋４ａを固定させるための第１の連結管１１と第２の連結管１２が交差するように配置された状態で、第１、第２の連結管１１、１２を連通するピン挿入孔１１ａ、１２ａに一定長さの固定用ピン３０が挿入されてテープ収蔵箱４から収蔵箱蓋４ａが一定角度内で自由に回転開閉される。
【００２５】
このように、本第１実施形態は、収蔵箱蓋４ａをテープ収蔵箱４から別途に射出成型されて収蔵箱蓋４ａとテープ収蔵箱４に各々形成された第１、第２の連結管１１、１２を固定用ピン３０で結合されている。
【００２６】
これに伴い、従来連結部１０に損傷が発生する場合、一体として形成されてある部分を全部入替えなければならないので、使用者に大きい負担になったが、本第１実施形態では連結部１０で問題が発生した部分だけを入替えることが可能となり、経済的といえる。つまり、第１の連結管１１に問題がある場合には、テープ収蔵箱４部分だけを入替えることもでき、第２の連結管１２に問題がある場合には、該部品だけを入替えれば済むことになる。
【００２７】
一方、本第１実施形態による園芸用結束機において、テープ収蔵箱４と収蔵箱蓋４ａの間には、第１の締結部７０と第２の締結部８０が形成され、収蔵箱蓋４ａを閉鎖した場合、テープ収蔵箱４と締結されるようにすることができる。複数個の締結部を備えることによって、テープ収蔵箱４に収蔵箱蓋４ａを閉める場合、固めに締結が維持されて使用者がいかなる環境で使用しても蓋が突然に緩んでしまうことないようにする狙いがある。
【００２８】
このための第１の締結部７０は第１の連結管１１及び第２の連結管１２が形成された連結部１０の他側に形成されることができるが、より詳細には、テープ収蔵箱４の外側面で、第１の連結管１１が形成された他側には、端部に引っ掛け段差７３が形成された第１引っ掛け突起７１が形成され、収蔵箱蓋４ａの外側面には、第１の引っ掛け突起７１に相当する箇所に第１引っ掛け溝７２が形成されている。また、第１の引っ掛け突起７１が第１の引っ掛け溝７２を通過して引っ掛け段差７３が引っ掛け溝７２にかかることによって、テープ収蔵箱４と収蔵箱蓋４ａの結束が行われるようになる。
【００２９】
第２の締結部８０は、テープ収蔵箱４と収蔵箱蓋４ａの中央部に形成されることがあるが、より詳細には、テープ収蔵箱４の中央に形成される支持柱４ｂに相当する箇所に支持溝８１が形成され、収蔵箱蓋４ａの中央には支持柱４ｂに相当する箇所に形成される支持溝４ｃの内側に、第２引っ掛け溝８１と対応するように一つ以上の第２の引っ掛け突起８２が形成されている。
【００３０】
これによって、テープ収蔵箱４と収蔵箱蓋４ａが閉められる時、収蔵箱蓋４ａの支持溝４ｃにテープ収蔵箱４の支持柱４ｂが挿入され、且つ、第２の引っ掛け突起８２が第２の引っ掛け溝８１にかかることによって第１の引っ掛け突起７１と第１の引っ掛け溝７２及び引っ掛け段差７３との構造からなる第１の締結部７０に続き、テープ収蔵箱４と収蔵箱蓋４ａの結束をさらに強固にすることができるのである。
【００３１】
第１の締結部７０及び第２締結部８０を用いて複数個の締結部を備えることで、テープ収蔵箱４に収蔵箱蓋４ａを閉じた時、強固に締結が維持されて、使用者がいかなる環境で使用しても蓋が突然に緩むことがないので、結束作業の信頼性を高めて自然に、作業能率を向上するようになる効果が得られる。
【００３２】
また、第１の締結部７０のような構造は、テープ収蔵箱４のみならず、テープ案内台２と案内台蓋２ａの間にも同様に適用し得る。このような場合、強固に締結された案内台蓋２ａをテープ案内台２から開放するときには、案内台取っ手２ｂを把持して力を入れて開けるようになる。
【００３３】
合わせて、外部作業環境で頻繁な使用や温度変化によって長手方向に長く形成された案内台蓋２ａが曲がる現象が発生し、それにしたがって連結部１０が直線上に連結されずに曲がって案内台蓋２ａの開閉動作が不可能となる場合があり、本第１実施形態では、案内台蓋２ａの内側に長手方向に沿ってＸ字形状の補強用リブ２ｃを複数個形成して、このような変形を防止し補強するようにする。
【００３４】
図８は、本第１実施形態による園芸用結束機において、受納溝部分を詳細に示した部分図である。
【００３５】
図面を参照すれば、使用上の不注意によってステープルが結束針供給台３の前で絡み合ったり、ステープルが一部残っているにもかかわらず、追加のステープルを反対方向で挿入させてステープルが結束針供給台３の内部で絡み合ったり挟まったりすることが発生し、ステープルの供給が円滑に行われず、装置を分解するに至る状況が度々発生するが、本実施形態では、テープ案内台２の外側面には長手方向に沿って受納溝２′が形成され、受納溝２′内にステープル手入れ台７が装着されるようにし、外部現場で発生し得る緊急状況にステープル手入れ台７を取り出し、すぐ処理できるようになる。
【００３６】
図９は本発明の第２実施形態による園芸用結束機において、収蔵箱蓋及び案内台蓋が開いた状態を示した図であって、図１０は、図９のＡ−Ａ′線の断面図であって、図１１は図９のＢ−Ｂ′線の断面図である。
【００３７】
図１０乃至図１１を参照すれば、本第２実施形態による園芸用結束機は、第１実施形態の通常の園芸用結束機において、第５の連結管４１、第１の連結棒４２、第６の連結管５１及び第２の連結棒５２を含んでなっている。
【００３８】
まず、テープ収蔵箱４の外側面の一側には、円筒形状で第１の連結棒４２が所定の長さで形成され、収蔵箱蓋４ａの外側面の一側には、第１の連結棒４２に相当する箇所に第１の連結棒４２の外径に対応する一部切断されたリング形状の断面を有して第５の連結管４１が第１の連結棒４２の長手方向に沿って一定間隔で複数個形成されている。その上、第１の連結棒４２に第５の連結管４１を締めて結合されることによって、テープ収蔵箱４から収蔵箱蓋４ａを一定角度内で自由に回転開閉できるようになっている。
【００３９】
また、テープ案内台２の外側面の一側には、円筒形状で第２の連結棒５２が所定長さで形成され、案内台蓋２ａの外側面の一側には、第２の連結棒５２に相当する箇所に第２の連結棒５２の外径に対応する一部切断されたリング形状の断面を有する第６の連結管５１が第２連結棒５２の長手方向に沿って一定間隔で複数個形成されている。このような第２の連結棒５２に第６の連結管５１を締めて結合することによって、テープ案内台２から案内台蓋２ａを一定角度内で自由に回転開閉できるようになっている。
【００４０】
この際、第５の連結管４１、第１の連結棒４２、第６の連結管５１及び第２の連結棒５２は、共にテープ収蔵箱４及びテープ案内台２と同じ材質を用いて成形製作するのが製造過程からみて望ましい。普通は、プラスチック材質を用いて軽いながらも、耐久性を有するようにすることができる。こうした構造を介して、本実施形態による園芸用結束機では、連結部１０が受ける荷重を最小化し、製品の寿命を向上させることができる。
【００４１】
さらに、本第２実施形態では第５の連結管４１と第１の連結棒４２、及び第６の連結管５１と第２の連結棒５２の位置は、必ずテープ収蔵箱４と収蔵箱蓋４ａ、テープ案内台２と案内台蓋２ａに形成されるわけではなく、互いに位置を変えて形成されることもある。例えば、テープ収蔵箱４の外側面の一側に第５の連結管４１が形成され、収蔵箱蓋４ａの外側面の一側に第１の連結棒４２を形成することも可能である。
【００４２】
図１２は本発明の第３実施形態による園芸用結束機において、案内台蓋が結合される断面構造を示した図であって、図面を参照すれば、本第３実施形態のテープ案内台２の両側面には、スライディングレール溝６１がテープ案内台２の長手方向に沿って所定の長さで形成され、案内台蓋２ａの両側面には、スライディングレール溝６１に対応するスライディング突起６２が案内台蓋２ａの長手方向に沿って所定の長さで形成され、スライディング突起６２がスライディングレール溝６１にスライディング挿入されることによって、テープ案内台２が開閉されるようにする。
【００４３】
以上、本発明を上記望ましい実施形態と関連付けて説明したが、発明の要旨と範囲から逸脱することなく、多様な修正や変形を行うことが可能である。したがって、添付した特許請求の範囲は、本発明の要旨に属するこのような修正や変形を含む。
【符号の説明】
【００４４】
１    本体枠
２    テープ案内台
２′  収納溝
２ａ  案内台蓋
２ｂ  案内台取っ手
２ｃ  リブ  
３    結束針供給台
４    テープ収蔵箱
４ａ  収蔵箱蓋
４ｂ  支持柱
４ｃ  支持溝
５    結束テープ
６    昇降作動体
７    ステープル手入れ台
１０  連結部
１１  第１の連結管
１２  第２の連結管
２１  第３の連結管
２２  第４の連結管
３０  固定用ピン
４１  第５の連結管
４２  第１の連結棒
５１  第６の連結管
５２  第２の連結棒
６１  スライディングレール溝
６２  スライディング突起
７０  第１の締結部
７１  第１の引っ掛け突起
７２  第１の引っ掛け溝
７３  引っ掛け段差
８０  第２の締結部
８１  第２の引っ掛け溝
８２  第２の引っ掛け突起
Ｂ：  結束部
【図１】
2018038386.tif 000003
【図２】
2018038386.tif 000004
【図３】
2018038386.tif 000005
【図４】
2018038386.tif 000006
【図５】
2018038386.tif 000007
【図６】
2018038386.tif 000008
【図７】
2018038386.tif 000009
【図８】
2018038386.tif 000010
【図９】
2018038386.tif 000011
【図１０】
2018038386.tif 000012
【図１１】
2018038386.tif 000013
【図１２】
2018038386.tif 000014